(57)【要約】【課題】本発明の目的は、レンジフードファンの排気ファンの吸引力を大幅に増やすことなく、廃ガスの大幅な捕集改善を実現すること。【解決手段】レンジフードの排気ファンとして、遠心ファンを使用し、前面または他の側面に設ける送風ファンとして、貫流ファンを使用する。レンジフードから洩れた廃ガスを再捕集し、且つ再捕集したエアーの吹き出し気流をエアーガイドとして、レンジから発生する廃ガスの誘引に活用する。送風ファンを追加することによって、送風ファンの僅かなエネルギーで排気効率を高める。【選択図】図１
2006112717.tif 000002
【特許請求の範囲】
【請求項１】
レンジフードの一部に送風ファンを備え、フードから洩れて滞留する油煙、燃焼ガス、蒸気、臭気などの加熱調理で発生する廃ガスを吸引する形式のレンジフードファンに於いて、送風ファンで吸引した前記廃ガスを含むエアーをフード内の排気ファンの方向へ吹き付けることによって、レンジから順次発生する廃ガスをフード内へ誘引するようにしたレンジフードファン。
【請求項２】
送風ファンと排気ファンの間にフィルターを配置した請求項１に記載のレンジフードファン。
【請求項３】
レンジフードに設置したフィルターの内側（排気ファン側）に、送風ファンを配置することで、送風と排気間のエアー流速を向上させ、該流速により、フィルターの外側（レンジ側）の気流が引っ張られる効果（エジェクター効果）で、フィルタの抵抗を緩和させ、レンジから発生する前記廃ガスの捕集を向上させた請求項１に記載のレンジフードファン。
【請求項４】
前記の送風ファンをレンジフードの前面、側面、天面、底面のうち少なくともいずれか一方の面に配置した請求項１〜３のいずれか１項に記載のレンジフードファン。
【請求項５】
送風ファンの回転速度を調整可能にした請求項１〜４のいずれか１項に記載のレンジフードファン。
【請求項６】
レンジの調理状況や周囲温度を温度検知器などのセンサーで検知し、マイコンなどの制御装置によって、送風ファンを駆動するモータの回転速度を自動調整することで、自動運転可能にした請求項１〜５のいずれか１項に記載のレンジフードファン。
【請求項７】
前記の送風ファンを室内の換気に利用することを特徴とする請求項１〜６のいずれか１項に記載のレンジフードファン。
【発明の詳細な説明】
【技術分野】
【０００１】
本発明は、加熱調理で発生する廃ガス等を効率良く室外に排出するためにレンジ上方に設けられるレンジフードファンに関する。
【背景技術】
【０００２】
単に廃ガスを吸引し、室外へ排出するだけの構造のレンジフードファンでは、排出を確実にするためには、広くて深いフードが必要である。それでもなお、フードから洩れた廃ガスが室内に滞留すると言う事態は避けられなかった。また、最近普及し始めているＩＨクッキングヒータに於いては、ガスレンジに比べると上昇気流の発生が小さいのでレンジフードファンの吸引力だけでは廃ガスを完全に捕集することが困難となっている。
【０００３】
レンジを使用していない場合に、レンジフードファンで居室の２４時間換気運転を行なうものがあるが、単に微弱運転をしているにすぎず、下方からの吸込みばかりで、レンジフードよりも高い位置に滞留している汚染空気の換気は十分でなかった。レンジフードに排気ファンの他に送風ファンを設置した先行技術としては当出願人が出願したレンジフードファンが挙げられるが、送風ファンはレンジ前面にエアーカーテンを形成するようにしており、排気を助長するような構成は示されていない。
【特許文献１】特開２００２−１３０７５９号公報
【発明の開示】
【発明が解決しようとする課題】
【０００４】
解決しようとする課題は、廃ガスを洩らさないレンジフードの実現と２４時間換気扇としても活用効果の高いレンジフードファンによって衛生的な換気環境を実現することである。ＩＨクッキングヒータが普及してゆけば、吸引力の強いレンジフードファンが求められる。吸引力を上げれば、その反動として室内で使用しているエアコンのエネルギーロスが懸念される。本発明は送風ファンを追加することによって、レンジフードファンに搭載される排気ファンの吸引力を大幅に増やすことなく、その僅かなエネルギーで大幅な捕集改善を実現するものである。
【課題を解決するための手段】
【０００５】
本発明は、レンジフードから洩れた廃ガスをレンジフードの一部に備えた送風ファンによって、洩れた廃ガスを吸引し再捕集すると共に、その吸引したエアーをレンジから発生する廃ガスの誘引エアーとして活用したものである。この手段により、レンジフードファンの捕集効果を高め、スムーズな換気を実現するようにしたものが請求項１の発明である。
【０００６】
レンジから発生した廃ガスがレンジフードに配置されたフィルターにぶつかり、弾かれることでレンジフードの外に洩れてしまう。この弾かれた廃ガスがレンジフードの外に洩れないように、送風ファンによって排気ファン方向へ誘引したものが請求項２の発明である。
【０００７】
請求項３の発明は、送風ファンと排気ファンの間に抵抗物を置かないことで、レンジフード内に設置したフイルターの内側のエアー流速を高めることができる。その結果、フィルターを貫通する廃ガスの流速もエゼクター効果の如く速くなる。すなわち、フィルターの抵抗を低減する働きとなる。
【０００８】
請求項４の発明は、送風ファンはレンジフードの前面の配置のみにかぎらず、レンジフードの形状に応じて、効果的な位置に配置するもので、効果を高めるために複数の組み合わせを行なったものである。
【０００９】
請求項５および請求項６の発明は、調理状況に応じて、送風ファンの回転速度を調整し、より有効且つ経済的にしたものである。
【００１０】
請求項７の発明は、レンジフードファンを２４時間換気扇として活用した場合を示すもので、従来のレンジフードは下方からのみの吸込みとなっている。送風ファンの設置によって、下方以外の前方や上方の吸込みを可能としたものである。
【発明の効果】
【００１１】
本発明によれば、結果として、レンジフードの捕集効果が高まるので、さまざまなフード形状に応用することで、快適な換気を実現することができる。従来のようにレンジフードの格好は良いけれど、油煙が洩れてしまう等の不具合が解消される。
【発明を実施するための最良の形態】
【００１２】
従来から、レンジフードの形状はレンジよりも広く、懐の深いものがその効果が発揮できるとされているので、本発明を併用すれば家庭用以外に業務用としても威力を発揮するとことができる。必要以上の吸引力が要求されなくなるので省エネの効果大である。
送風ファンは遠心ファンや軸流ファンにてもその効用はあるが、貫流ファンを使用すれば広い範囲での送風が可能になる。排気ファンについても、遠心ファンや軸流ファンもその効用があるが、ダクト配管が可能で排気静圧の高い遠心ファンの方が実用的である。本発明の実施の形態を実施例をもって具体的に説明する。
【実施例１】
【００１３】
図１は、本発明の実施例の断面図であり、図２はその斜視図である。実施例の中では排気ファンとして遠心ファン６を、送風ファンとして貫流ファン１３を用いた。フード本体１は固定金具２で建物の壁面（図示せず）に固定される。レンジから発生した廃ガスは、フィルタ３を通り、ベルマウス７、モータ８によって駆動される遠心ファン６の内側から外側、すなわちスクロール５の内側へ、さらにダクトアダプタ９、シャッタ１０を通り、ダクト１１を介して室外へ排出される。照明灯４はレンジ周辺を照明する。幕板１２はレンジフード上部のダクト接続を含む空間の目隠しである。モータ１４によって駆動される貫流ファン１３はレンジ前面上部にあるエアーを吸引し、遠心ファン６方向へ吹き出すことにより、エアーガイド（誘引）を形成してレンジから発生する廃ガスをスムーズに捕集できるようにこれをアシストする。レンジフードから廃ガスが室内へ洩れることを防止すると共に洩れてしまった廃ガスは、貫流ファン１３で再度捕集する。この手段により、廃ガスは室外へ確実に排出できる。自動運転の場合は、温度検出器１５でレンジの調理温度や周囲温度を検出し、検出信号を受けた制御装置１６によって、モータ８の回転速度変更の信号を出力することで、自動運転を行なう。室内の換気に利用する場合に於いても、周囲温度に応じた自動運転が可能になる。なお、室内エアーが負圧になることを避けるために、レンジ周辺より少し離れた位置で且つ天井付近に外部のエアーを室内へ給気するようにすれば、さらに確実な換気が行なえる。
【実施例２】
【００１４】
図３は、本発明の他の実施例である。実施例１に対して、フード本体１の形状を深くし、遠心ファン６の吐き出しを天面方向へ変更した場合を示す。
【実施例３】
【００１５】
図４は、本発明の他の実施例である。実施例１に対して、貫流ファン１３の吹き出しをフィルタ３の内側で行なった場合を示す。
【産業上の利用可能性】
【００１６】
以上説明したように、本発明によれば、レンジから発生した廃ガスの量が多い場合やＩＨクッキングヒータのように上昇気流が小さい場合でもスムーズな換気を実現することができる。レンジフードの格好は良いけれど、廃ガスが洩れてしまう等の不具合が解消され、さまざまなフード形状に応用することができる。
【図面の簡単な説明】
【００１７】
【図１】本発明のレンジフードファンの１例を示す断面図である。（実施例１）
【図２】本発明のレンジフードファンの１例を示す斜視図である。（実施例１）
【図３】本発明の他のレンジフードファンの断面図である。（実施例２）
【図４】本発明の他のレンジフードファンの断面図である。（実施例３）
【符号の説明】
【００１８】
１ フード本体
２ 固定金具
３ フィルタ
４ 照明灯
５ スクロール
６ 遠心ファン
７ ベルマウス
８ モータ
９ ダクトアダプタ
１０ シャッタ
１１ ダクト
１２ 幕  板
１３ 貫流ファン
１４ モータ
１５ 温度検知器
１６ 制御装置
１７ モータ
１８ 貫流ファン
【図１】
2006112717.tif 000003
【図２】
2006112717.tif 000004
【図３】
2006112717.tif 000005
【図４】
2006112717.tif 000006